(57)【要約】【課題】オペレータの疲労を軽減し、作業能率の向上を図るために、腕置き部材に腕を載置するだけではなく、運転室のスペースの有効利用を図るようにした建設機械のアームレスト構造を提供する。【解決手段】腕置き部材支持枠８と、腕置き部材支持枠８の上部に配置された腕置き部材９を備え、腕置き部材支持枠８は、物品を収容し得る凹部を有する容器状の上部材８ａを備え、腕置き部材９は開閉可能に構成されている。【選択図】図１
2011255807.tif 000002
【特許請求の範囲】
【請求項１】
腕置き部材支持枠と、該腕置き部材支持枠の上部に配置された腕置き部材を備え、前記腕置き部材支持枠は、物品を収容し得る凹部を有する容器状の部材を備え、前記腕置き部材は開閉可能に構成されていることを特徴とする建設機械のアームレスト構造。
【請求項２】
腕置き部材支持枠と、該腕置き部材支持枠の上部に配置された腕置き部材を、一体的に上下方向位置を調整可能に構成した請求項１記載の建設機械のアームレスト構造。
【請求項３】
腕置き部材の少なくとも腕を載置する面は緩衝性素材により構成されている請求項１又は２に記載の建設機械のアームレスト構造。
【発明の詳細な説明】
【技術分野】
【０００１】
本発明は、建設機械のアームレスト構造に関するものである。
【背景技術】
【０００２】
従来、パワーショベルやクレーン装置等の建設機械においては、運転室の運転席に座ったオペレータがリストコントロール操作レバーを操作する際にオペレータの腕を載置することができるアームレストを備えることにより、オペレータによる楽な姿勢での操作を可能にしてオペレータの疲労を軽減し、作業能率の向上を図るようにしている。
【０００３】
図５は従来の建設機械の運転室における運転席近傍の正面図で、運転席１の前側中央部には、建設機械の前進・後退を行う左右一対の走行レバー２が設けられ、運転席１の左右に設けたコンソールボックス３の上面には、アームの操作及びバケットの操作を行うため、左右一対のリストコントロール操作レバー４が設けられ、該リストコントロール操作レバー４の後側（座席側）には、アームレスト５が設置されている。
【０００４】
図６は、図５のコンソールボックス近傍におけるＶＩ−ＶＩ方向矢視図、図７は図６のアームレストの縦断面図で、コンソールボックス３の前側上面における運転席側にリストコントロール操作レバー４に対し近接して取付けたブラケット６の上端部には、ブラケット７を介して、上下に調整可能な腕置き部材支持枠８が取付けられており、腕置き部材支持枠８の上面には、クッション性のある緩衝性素材を備えた腕置き部材９が、載置、固定されている。而して、腕置き部材支持枠８、腕置き部材９によりアームレスト５が構成されている。図７中、６ａはアームレスト５の高さ位置の調整のためにブラケット６に設けた縦長孔、１０はブラケット６,７を締結するボルト、１１は腕置き部材９を腕置き部材支持枠８に対し固定するめのボルト、１２は腕置き部材９に埋め込まれた補強部材である。
【０００５】
オペレータがリストコントロール操作レバー４を操作する際には、腕をアームレスト５の腕置き部材９に載置し、手でリストコントロール操作レバー４を掴んで操作を行なう。
【０００６】
建設機械の運転室にアームレストを装備した例としては、例えば、特許文献１、特許文献２がある。而して、特許文献１では、アームレストはコンソールボックス（引用文献１では、「サイドコラム」と称している。）に取付けられている。又、特許文献２では、アームレストは運転席の背もたれに取付けられている。
【先行技術文献】
【特許文献】
【０００７】
【特許文献１】特開２００８−１１９３０号公報
【特許文献２】特開２０００−２３３６７２号公報
【発明の概要】
【発明が解決しようとする課題】
【０００８】
図５〜図７に示す従来例及び引用文献１、２の何れにおいても、アームレストの腕を直接載置する部材は、オペレータの腕の太さに合わせた幅が必要であるが、近年、幅は大きくなる傾向にあるうえ、腕を載置する部材としての本来の機能のみしかなく、従って、運転室のスペースの有効利用を十分に図ることができない。
【０００９】
本発明は上述の実情に鑑み、オペレータの疲労を軽減し、作業能率の向上を図るために、腕置き部材に腕を載置するだけではなく、建設機械の運転室におけるスペースの有効利用を図るようにした建設機械のアームレスト構造を提供することを目的としてなしたものである。
【課題を解決するための手段】
【００１０】
本発明の建設機械のアームレスト構造は、腕置き部材支持枠と、該腕置き部材支持枠の上部に配置された腕置き部材を備え、前記腕置き部材支持枠は、物品を収容し得る凹部を有する容器状の部材を備え、前記腕置き部材は開閉可能に構成されている。
【００１１】
本発明の建設機械のアームレスト構造は、腕置き部材支持枠と、該腕置き部材支持枠の上部に配置された腕置き部材を、一体的に上下方向位置を調整可能に構成している。
【００１２】
本発明の建設機械のアームレスト構造においては、腕置き部材の少なくとも腕を載置する面は緩衝性素材により構成されている。
【発明の効果】
【００１３】
本発明の建設機械のアームレスト構造によれば、建設機械の操作レバーの操作時にオペレータは腕を腕置き部材に載置して作業を行なうことができるため、楽な姿勢での操作が可能となって、オペレータの疲労が軽減し、且つ作業能率が向上し、又、腕置き部材支持枠の部材を物品を収納する容器として使用することができるため、運転室のスペースの有効利用を図ることができる、等種々の優れた効果を奏し得る。
【図面の簡単な説明】
【００１４】
【図１】本発明の建設機械のアームレスト構造の第一例を示す縦断側面図で、腕置き部材にオペレータが腕を載せる場合の状態を示す縦断側面図である。
【図２】図１の建設機械のアームレスト構造の第一例において、腕置き部材を開いた状態を示す縦断側面図である。
【図３】本発明の建設機械のアームレスト構造の第一例における腕置き部材支持枠の上部材の斜視図である。
【図４】本発明の建設機械のアームレスト構造の第二例を示す縦断側面図である。
【図５】従来のアームレストを設置した建設機械の運転室における運転席近傍の正面図である。
【図６】図５のコンソールボックス近傍におけるＶＩ−ＶＩ方向矢視図である。
【図７】図６のアームレストの縦断側面図である。
【発明を実施するための形態】
【００１５】
以下、本発明の実施の形態を図示例と共に説明する。
【実施例１】
【００１６】
図１〜図３は本発明の建設機械のアームレスト構造の第一例で、図中、図７に示す符号と同一のものには同一の符号が付してある。而して、第一例においては、腕置き部材支持枠８は、上部材８ａと下部材８ｂとをボルト１３により締結することにより、或は溶接することにより、一体化し得るようになっており、上部材８ａは内部にタバコ、ライタ、鉛筆、手帳等の小物の物品を入れることができるよう、上部が開口した凹部を有して容器状に形成されている。又、上部材８ａの底面には、運転席から離反した側の端部において、運転席から離反した側へ向けて上り勾配となる斜辺が一体的に繋がっており、その上端には、運転席から離反する側へ突出する平坦部１４が形成され、全体として、図３に示すように船型状に形成されている。上部材８ａの凹部には、凹部に入れた物品が建設機械の作業中に動かないよう、建設機械前後方向に延在する仕切り板１５が取付けられている。この仕切り板１５は設けなくても良い。更に、アームレスト５をコンソールボックス３に取付けたブラケット６に固定するためのブラケット７は、上部材８ａの斜辺を貫通することなく、下部材８ｂの下面に固設されている。
【００１７】
上部材８ａの運転席側端部には、ブラケット１６が固設されており、該ブラケット１６には、ピン１７を介して垂直面内に対し建設機械前後方向へ回動し得るよう、腕置き部材９が枢支されている。腕置き部材９は、クッション性のある緩衝性素材により形成する。又、腕置き部材９を図１に示すように略水平状態に位置させた際には、腕置き部材９上面は、オペレータがリストコントロール操作レバー４を把持する際、腕を楽に載置できるよう、運転席から離反する方向に向かって僅かに下り勾配に形成されている（約５度程度）。更に、腕置き部材９は、上部材８ａに対し固定し得るよう、鍵手段が設けられている（図示せず）。
【００１８】
次に、上記実施例の作動を説明する。
オペレータが建設機械のリストコントロール操作レバー４（図５、図６参照）を操作する場合は、図１に示すように、アームレスト５の腕置き部材９により上部材８ａの開口を閉止したうえ、腕を腕置き部材９に載置させ、リストコントロール操作レバー４を把持して操作を行なう。
【００１９】
又、必要がある場合は、リストコントロール操作レバー４を操作しない場合に、腕置き部材９を図２に示すように開き、上部材８ａの凹所に小物の物品を収納したり、収納されている物品を取出し、使用することができる。
【００２０】
本発明の建設機械のアームレスト構造の第一例によれば、リストコントロール操作レバー４の操作時にオペレータは腕をアームレスト５の腕置き部材９に載置して作業を行なうことができるため、楽な姿勢での操作が可能となって、オペレータの疲労が軽減し、作業能率が向上する。又、腕置き部材支持枠８の上部材８ａを物品の容器として使用することができるため、運転室のスペースの有効利用を図ることができる。
【実施例２】
【００２１】
図４は本発明の建設機械のアームレスト構造の第二例で、図中、図１に示す符号と同一のものには同一の符号が付してある。而して、本発明の建設機械のアームレスト構造の第二例においては、腕置き部材支持枠８における上部材８ａの物品の収納スペースを広げるため、上部材８ａには、第一例における斜辺は設けられてはおらず、その底面は、第一例よりも運転席側から離反する側へ延在している。而して、ブラケット６，７は上部材８ａの底面を貫通する構成となる。
【００２２】
本発明の建設機械のアームレスト構造の第二例においても、第一例と同様の作用効果を奏することができ、又、上部材８ａの凹部の容積が大きくなるため、収納する物品の量を多くすることができる。
【００２３】
なお、本発明の建設機械のアームレスト構造においては、腕置き部材を運転席側端部を支点として垂直面内に対し回動し得るようにする場合について説明したが、運転席から離反した側の端部を支点として垂直面内を回動させるようにすることもできること、腕置き部材は運転席の左右方向へ回動させるようにすることもできること、運転席の前後、左右方向へ水平移動させるようにすることもできること、腕置き部材は、全体をクッション性のある緩衝性素材により構成し、内部に補強部材を入れる場合について説明したが、少なくとも腕を載置する面をクッション性のある緩衝性素材により構成すれば良いこと、その他、本発明の要旨を逸脱しない範囲内において種々変更を加え得ることは勿論である。
【符号の説明】
【００２４】
８ 腕置き部材支持枠
８ａ        上部材（部材）
９  腕置き部材
【図１】
2011255807.tif 000003
【図２】
2011255807.tif 000004
【図３】
2011255807.tif 000005
【図４】
2011255807.tif 000006
【図５】
2011255807.tif 000007
【図６】
2011255807.tif 000008
【図７】
2011255807.tif 000009